(57)【要約】      （修正有）【課題】上下蓋内部にストッパーを配して、強度を補うことで、安定性・携帯性に優れた平型化を図った眼鏡ケースを提供する。【解決手段】下蓋１と、これに被せる上蓋２からなり、前記下蓋１と上蓋２の接点３ａ・３ｂと４ａ・４ｂの先端凹凸部が噛み合い、上蓋に荷重が加わり外側に広がろうとする時、上蓋の凸部３ａ・４ａが下蓋の凹み部３ｂ・４ｂと噛み合う。従って、下蓋の凹み部３ｂ・４ｂがストッパーとなり上蓋の凸部３ａ・４ａが外側に広がるのを防ぎ、眼鏡ケースの変形を防止できる様にして平型眼鏡ケースを形成する。【選択図】図５
0003171433.tif 000002
【実用新案登録請求の範囲】
【請求項１】
ケース内部にストッパーを設け、ケースの変形を防ぐことを特徴とする平型眼鏡ケース。
【請求項２】
ケース内部にストッパーを設け、平型を形成することを特徴とする平型眼鏡ケース。
【請求項３】
反発力を利用した調整可能な眼鏡押さえを設け、眼鏡を固定することを特徴とする平型眼鏡ケース。
【考案の詳細な説明】
【技術分野】
【０００１】
本考案は、平型眼鏡ケースに関し、上下蓋内部にストッパーを配し、強度を補い平型を形成し安定性・携帯性に優れた、平型眼鏡ケースに関する。
【背景技術】
【０００２】
従来、合成樹脂性の眼鏡ケースは、強度を得るために、形状を楕円形にしていたことは公知である。
【０００３】
この形状の眼鏡ケースは、中央部が厚みを増し、机などに置いた時揺れるなど安定性がなく、さらに携帯性に劣っていた。本考案のような形が平型のメガネケースの先願はない。
【考案の概要】
【考案が解決しようとする課題】
【０００４】
しかしながら、従来の眼鏡ケースは、楕円形にすることで強度を得ていたため、平型の眼鏡ケースは強度に劣るとされ、今まで知られていなかった。
【０００５】
また、金属製の平型ケースは重く、携帯に不向きであり、他の合成樹脂のものは、荷重を加えるとケースが変形し、収納した眼鏡を破損するため、眼鏡ケースには不向きであった。
【０００６】
さらに、ケースを平型にすることで、眼鏡のレンズとケースが擦れレンズにキズが付きやすくなり、眼鏡ケースには不向きであった。
【課題を解決するための手段】
【０００７】
本考案の平型眼鏡ケースは、合成樹脂ポリプロピレンを材料とし、ケース内部に変形を防ぐストッパーを設けることで、形状を平型にすることができ、さらに軽量で丈夫な平型眼鏡ケースを実現することが出来る。
【０００８】
すなわち本考案の第一は、上下蓋内部に蓋と一体化したストッパーを設ける事で、上下の蓋がずれるのを防ぎ、ケースの変形を解消した平型眼鏡ケースである。
【０００９】
本考案の第二は、前記ストッパーを蓋と一体化することで、ケース中央部の強度を増し、ケースが潰れるのを解消した平型眼鏡ケースである。
【００１０】
本考案の第三は、眼鏡押さえを設ける事で、眼鏡を固定しレンズとケースが擦れるのを解消した平型眼鏡ケースである。
【考案の効果】
【００１１】
本考案の平型眼鏡ケースは、ストッパーを設ける事で、強度と変形の問題を解消し平型にすることで、従来の楕円形ケースが３５〜４２ミリの厚みに対し２５〜３３ミリと厚みを減らすことで、ワイシャツのポッケとに入る厚みとなり、携帯性に優れている。
【００１２】
さらに、平型にすることで、机などに置いたとき楕円形のような揺れがなくなり、安定性を増した。
【００１３】
また、眼鏡押さえで眼鏡を固定することで、ケースとの摩擦を解消するとともに、携帯時に眼鏡とケースがぶつかる事が無くなり雑音を解消できる。
【００１４】
ケースの大きさを変え、ストッパーおよび眼鏡押さえの数を増やしケース中央などに設ける事で、眼鏡を２個入り３個入りと収納する眼鏡の数を増やすことが出来る。
【００１５】
本考案の平型眼鏡ケースは、ポリプロピレンを使用することで、軽く丈夫で耐熱性・透明度に優れている。
【００１６】
また、ケース表面が平面になったことで、キャラクターやロゴを歪み無く施すことができ、子供や女性の購買意欲を喚起させることが出来る。
【００１７】
さらに、従来の眼鏡ケースは耐衝撃性にすぐれた合成樹脂を使用していたが、子供が踏むなどすると、まれにケースが破損し足に刺さるなどの怪我をする可能性があった。
しかし、ポリプロピレンは柔軟性があり、踏まれても破損することがない。  また、ケースに収納された眼鏡が破損しても、破片がポリプロピレンのケースを突き破ることはなく安全である。
【００１８】
また、ケースを平型にしたことで眼鏡だけではなく、鉛筆などの収納ケースとしても使用でき、眼鏡押さえにより鉛筆やシャープペンシルなどを固定でき、芯折れを防止できる。
【考案を実施するための形態】
【００１９】
従来の平型ケースは、上蓋上部より荷重が加わると、上蓋先端部が外側に広がり、上蓋上部がケース本体内部に窪みケース全体が変形し、収納された眼鏡を破損する危険性があり、眼鏡ケースには不向きであった。
本件は、ケース内部にケースと一体化したストッパー１・２を設け、ケースの変形を解消した。
上蓋上部より、荷重が加わると、上蓋内部に設けたストッパー３ａ・４ａが外側に広がろうとするが、下蓋内部のストッパー３ｂ・４ｂが、これを受け止め蓋が外側へ広がるのを防ぎ、ケースの変形を解消した。
【００２０】
さらに、ストッパー１の形状を鉤型にすることで、ストッパーの外れを防止した。
【００２１】
また、ストッパー部の厚みを厚くしたことで、強度を増しケースが潰れるのを解消した。
【００２２】
取り外し可能な眼鏡押さえ６を取り付けた。      リング状の眼鏡押さえが、眼鏡のブリッジ部に当たり変形すると、元のリング状に戻ろうとする反発力により眼鏡が押され固定される。
【００２３】
眼鏡押さえ６は固定具５により固定穴７に差し込むことで取り付けができ、眼鏡押さえの調整穴８の位置を変えることで、リングの大きさと形状を変え、反発力の調整ができる。
【図面の簡単な説明】
【００２４】
【図１】本考案に係る平型眼鏡ケースの正面図である。
【図２】図１におけるＡ−Ａ’断面図である。
【図３】図２の部分拡大図である。
【図４】本考案に係る平型眼鏡ケースの蓋開放時の平面図である。
【図５】図４におけるＢ−Ｂ’断面図である。
【図６】眼鏡押さえ固定具の拡大図である。
【図７】眼鏡押さえの部分拡大図である。
【符号の説明】
【００２５】
１・・・・・・・下蓋
２・・・・・・・上蓋
３ａ、３ｂ・・・ストッパー１
４ａ、４ｂ・・・ストッパー２
５・・・・・・・眼鏡押さえ固定具
６・・・・・・・眼鏡押さえ
７・・・・・・・眼鏡押さえ固定具取り付け穴
８・・・・・・・眼鏡押さえ調整穴
【図１】
0003171433.tif 000003
【図２】
0003171433.tif 000004
【図３】
0003171433.tif 000005
【図４】
0003171433.tif 000006
【図５】
0003171433.tif 000007
【図６】
0003171433.tif 000008
【図７】
0003171433.tif 000009
【手続補正書】
【提出日】平成23年6月15日(2011.6.15)
【手続補正１】
【補正対象書類名】実用新案登録請求の範囲
【補正対象項目名】全文
【補正方法】変更
【補正の内容】
【実用新案登録請求の範囲】
【請求項１】
下蓋と、これに被せる上蓋よりなり、前記上蓋に下蓋の突起状ストッパーと噛みあい、外側へ広がるのを防止する突起状ストッパーを設けたことを特徴とする平型眼鏡ケース。
【請求項２】
反発力を利用した調整可能な眼鏡押さえを設け、眼鏡を固定することを特徴とする請求項１記載の平型眼鏡ケース。
【手続補正書】
【提出日】平成23年8月10日(2011.8.10)
【手続補正１】
【補正対象書類名】実用新案登録請求の範囲
【補正対象項目名】全文
【補正方法】変更
【補正の内容】
【実用新案登録請求の範囲】
【請求項１】
下蓋と、これに被せる上蓋からなり、前記下蓋と上蓋の接点３ａ・３ｂと４ａ・４ｂの先端凹凸部が噛み合い、上蓋に荷重が加わり外側に広がろうとする時、上蓋の凸部３ａ・４ａが下蓋の凹み部３ｂ・４ｂと噛み合い、下蓋の凹み部３ｂ・４ｂがストッパーとなり上蓋の凸部３ａ・４ａが外側に広がるのを防ぎ、眼鏡ケースの変形を防止することを特徴とする平型眼鏡ケース。
【請求項２】
眼鏡押さえ６をリング状に丸め固定具５を眼鏡押さえの調整穴８の２箇所の穴に通し上蓋の取り付け穴７に差し込み眼鏡押さえ６を固定、上蓋を閉めた時収納された眼鏡本体のブリッジ部に当り眼鏡本体を固定、眼鏡押さえに開けられた複数個の調整穴８の固定位置を変えることにより、リングの大きさを変え眼鏡本体を押さえる力を調整可能にした眼鏡押さえを設け、眼鏡を固定することを特徴とする請求項１記載の平型眼鏡ケース。